(57)【要約】【課題】この発明は、石柱に納骨用空間を設け、スペース効率の良い墓を実現することを目的とする。【解決手段】立設した石柱からなる墓において、この石柱に納骨用空間を設け、直立する石柱と、該石柱の根元側の前面に配される祭壇と、祭壇の下に埋設される納骨用空間として機能するカロートとを有し、石柱が所定の間隔で列状に並べ、また、垂直に立設される前記石柱によって構成され、該石柱はその内部に納骨用空間として機能する空洞部を有し、該空洞部に遺骨を砕いて収納し、また、納骨用空間はこの納骨用空間と墓周辺の外部とを連絡する連絡通路を備える。【選択図】図１
2016084699.tif 000002
【特許請求の範囲】
【請求項１】
立設した石柱からなる墓において、この石柱に納骨用空間を設けたことを特徴とする墓。
【請求項２】
直立する前記石柱と、該石柱の根元側の前面に配される祭壇と、前記祭壇の下に埋設される前記納骨用空間として機能するカロートとを有し、前記石柱が所定の間隔で列状に並べられることを特徴とする請求項１に記載の墓。
【請求項３】
垂直に立設される前記石柱によって構成され、該石柱はその内部に前記納骨用空間として機能する空洞部を有し、該空洞部に遺骨を砕いて収納するようにしたことを特徴とする請求項１に記載の墓。
【請求項４】
垂直に立設される前記石柱によって構成され、該石柱はその内部に前記納骨用空間として機能する空洞部を有し、該空洞部内に缶体が受入れられ、前記缶体に遺骨を収納するようにしたことを特徴とする請求項１に記載の墓。
【請求項５】
前記納骨用空間は、この納骨用空間と墓周辺の外部とを連絡する連絡通路を備えることを特徴とする請求項１に記載の墓。
【発明の詳細な説明】
【技術分野】
【０００１】
この発明は墓に係り、特に立設した石柱からなる墓に関するものである。
【背景技術】
【０００２】
人が亡くなった場合には、通常その亡骸を火葬に付し、遺骨を墓地に埋葬して葬ることになる。
このような目的で、墓が設けられる。
墓は、後述する特許文献１の特開２００３−０８２８８４号公報や特許文献２の特開２００９−０９７２４０号公報に開示されているように、台座の上に直方体のブロック状の石碑を立設するとともに、台座の手前側に祭壇を設けるようにする。
そして台座の下側には、所定の空間を設けており、通常はコンクリート製の収納庫になっている。
このような収納庫がカロートであって、その中に骨壺に入れた状態で遺骨を収納する。
葬られた人に縁の親族等は、春や秋の彼岸、お盆、命日等に墓参に訪れ、祭壇上の線香入れで線香を焚きながら、花を手向けて、その墓の中に葬られた人を偲ぶことになる。
【先行技術文献】
【特許文献】
【０００３】
【特許文献１】特開２００３−０８２８８４号公報
【特許文献２】特開２００９−０９７２４０号公報
【発明の概要】
【発明が解決しようとする課題】
【０００４】
ところで、従来のこの種の墓は、設置するためにかなり広い土地面積を必要とし、通常は１つの墓が１坪程度の土地を占有することになる。
従って、墓の数が増えるに従って、墓地が占めるスペースも増大することになる。
また、従来の墓は、台座、石碑、祭壇等として石材を加工して製造しており、また台座の下側に穴を掘ってコンクリートを流し込んでカロートを作らなければならず、材料費や建築費がかかる欠点があった。
【０００５】
本願発明の課題は、必要とする土地面積が狭くてもよく、効率的に多数を並べて配列することができるようにした墓を提供することである。
本願発明の別の課題は、材料費および建築費が安価に抑えられるようにした墓を提供することである。
本願発明のさらに別の課題は、各戸の墓のスペースが小さく、狭い面積に多数の墓を配列できるようにした墓を提供することである。
本願発明のさらに別の発明は、墓地用地不足を解決し、土地を効率的に利用できるようにした墓を提供することである。
本願発明の上記の課題および別の課題は、以下に述べる本願発明の技術的思想、およびその実施の形態によって明らかにされる。
【０００６】
つまり、この発明は、石柱に納骨用空間を設け、スペース効率の良い墓を実現することを目的とする。
【課題を解決するための手段】
【０００７】
そこで、この発明は、上述不都合を除去するために、立設した石柱からなる墓において、この石柱に納骨用空間を設けたことを特徴とする。
【０００８】
本願の主要な第１の発明は、直立する前記石柱と、該石柱の根元側の前面に配される祭壇と、前記祭壇の下に埋設される前記納骨用空間として機能するカロートとを有し、前記石柱が所定の間隔で列状に並べられる墓に関するものである。
ここで、前記祭壇の横方向の寸法と、前記カロートの横方向の寸法とが、列状に並べられる石柱の中心間の間隔と等しくてよい。また中央の通路に対して互いに対向するように前記通路の両側に前記石柱が列状に並べられてよい。
また、前記石柱の上部側に前後方向に貫通する貫通孔が形成され、前記貫通孔に模様またはマークを施した飾り板が装着されていてよい。また前記飾り板がステンドグラスであってよい。また前記貫通孔の断面が円形であるとともに、前記ステンドグラスが円板状をなしてよい。
また、前記祭壇の前面に背面方向に穿孔された凹部を備え、該凹部に線香を入れてよい。
また、前記祭壇の両側の下部が断面Ｌ字状に切欠かれて切欠き部が形成され、互いに隣接する両側の連続する切欠き部に直方体状の補助石が組合されてよい。
また、前記カロートが金属の箱体であってよい。
また、前記カロートがステンレス鋼板製の箱体であってよい。
また、前記祭壇が前記カロートの蓋体を兼用してよい。
また、前記カロートが蓋体を有し、上部開口を該蓋体で閉じてよい。
【０００９】
本願の主要な第２の発明は、垂直に立設される前記石柱によって構成され、該石柱はその内部に前記納骨用空間として機能する空洞部を有し、該空洞部に遺骨を砕いて収納するようにした墓に関するものである。
ここで、前記石柱は、高さ方向の中間位置で上下に分割され、下側部分に上方が開放された凹部が形成され、該凹部が前記空洞部を形成してよい。
また、前記石柱の上下に分割された上側部分に突部が下方に突出するように形成され、該突部が前記凹部の開口縁部に嵌合されてよい。
また、前記石柱が正方形の横断面形状を有するとともに、前記凹部が円形の横断面形状を有してよい。
また、前記石柱の上部側に前後方向に貫通する貫通孔が形成され、該貫通孔に模様またはマークを施した飾り板が装着されてよい。
また、前記飾り板がステンドグラスであってよい。
また、前記貫通孔の断面が円形であるとともに、前記ステンドグラスが円板状をなしてよい。
また、前記石柱が複数本で１つのグループをなし、所定の配置関係を保ちながら配列されてよい。
また、共通の祭壇を有し、該祭壇を囲むように前記石柱がコ字状に配列されてよい。
また、前記コ字状に配列された複数本の石柱によってグループが形成され、中央を貫通する通路の両側に前記複数本の石柱のグループが順次配列されてよい。
【００１０】
本願の主要な第３の発明は、垂直に立設される前記石柱によって構成され、該石柱はその内部に前記納骨用空間として機能する空洞部を有し、該空洞部内に缶体が受入れられ、前記缶体に遺骨を収納するようにした墓に関するものである。
ここで、前記石柱の胴部が４枚の板状体を組合わせて構成され、内部に矩形断面（正方形断面を含む）の空洞部が形成され、該空洞部内に前記缶体が受入れられてよい。
また前記４枚の板状体の内の１枚の板状体が分離可能な蓋板を有し、該蓋板を外して内部の前記缶体を取出し、あるいは内部に前記缶体を挿入するようにしてよい。
また前記缶体がステンレス鋼によって作られた断面円形の缶体であってよい。
また前記石柱の上部が無空のブロック体から構成されるとともに、該ブロック体の下部であって板状部から成る前記胴部との間に飾り板が配されてよい。
また前記石柱の上部のブロック体に前後方向に貫通する貫通孔が形成され、該貫通孔に模様またはマークを施した飾り板が装着されてよい。
【００１１】
本願の主要な第４の発明は、前記納骨用空間は、この納骨用空間と墓周辺の外部とを連絡する連絡通路を備える墓に関するものである。
【発明の効果】
【００１２】
この発明は、立設した石柱からなる墓において、この石柱に納骨用空間を設けたものである。
従って、このような墓によると、納骨用空間としてカロートや内部の空洞部を機能させることができる。
【００１３】
また、本願の主要な第１の発明は、直立する前記石柱と、該石柱の根元側の前面に配される祭壇と、前記祭壇の下に埋設される前記納骨用空間として機能するカロートとを有し、前記石柱が所定の間隔で列状に並べるようにしたものである。
従って、このような墓によると、石柱間の間隙を小さくして列状に並べることによって、極めて狭いスペースで多数の墓を設けることができ、土地の有効利用になるとともに、墓地のために大きな土地を必要としなくなる利点をもたらす。
また、構造自体がシンプルであることから、建設費も低く抑えられるようになる。
【００１４】
更に、本願の主要な第２の発明は、垂直に立設される前記石柱によって構成され、該石柱はその内部に前記納骨用空間として機能する空洞部を有し、該空洞部に遺骨を砕いて収納するようにしたものである。
従って、このような構成の墓によると、直方体のブロック状を成す石碑や台座等を用いることがなく、それぞれの墓は実質的に１本の石柱から構成されることになり、所要のスペースが非常に少なくて済む。
従って、墓地として必要な用地が極めて少なくなる。
また、石柱の内部の空洞部に遺骨を砕いて収納するようにしているために、骨壷を収納するカロートを設ける必要がなくなり、構造自体が極めてシンプルになるとともに、建設費をも低く抑えることが可能になる。
【００１５】
更にまた、本願の主要な第３の発明は、垂直に立設される前記石柱によって構成され、該石柱はその内部に前記納骨用空間として機能する空洞部を有し、該空洞部内に缶体が受入れられ、前記缶体に遺骨を収納するようにしたものである。
従って、このような構成の墓によると、石柱の空洞部内に収納される缶体を骨壷の代わりに利用することができる。
また、このような構成によれば、遺骨を粉砕して粉末あるいは粒状に加工する必要がなくなる。
また、必要に応じて、缶体を取出すこともできる。
【００１６】
また、本願の主要な第４の発明は、前記納骨用空間と墓周辺の外部とを連絡する連絡通路を備えるものである。
従って、このような構成の墓によると、納骨用空間と墓周辺の外部とを連絡通路によって連絡することができる。
また、納骨用空間に収納した遺骨に対して微生物などの作用を促進させることができ、納骨用空間の残余の空間を適正に維持することができる。
また、前記連絡通路によって納骨用空間内の換気を行うことができ、納骨用空間内に滞留する臭いを解消し得る。
【図面の簡単な説明】
【００１７】
【図１】図１は本発明の一実施の形態に係る墓の全体の構成を示す外観斜視図である。（実施例１）
【図２】図２は同墓の平面図である。（実施例１）
【図３】図３は墓の一部の正面図である。（実施例１）
【図４】図４は墓の側断面図（Ａ）、および正面図（Ｂ）である。（実施例１）
【図５】図５は石柱の正面図（Ａ）、側面図（Ｂ）、および縦断面図（Ｃ）である。（実施例１）
【図６】図６は石柱の上部の拡大正面図（Ａ）、および拡大断面図（Ｂ）である。（実施例１）
【図７】図７は各種の模様（Ａ）〜（Ｄ）のステンドグラスの正面図である。（実施例１）
【図８】図８は祭壇石の平面図（Ａ）、側面図（Ｂ）、および斜視図（Ｃ）である。（実施例１）
【図９】図９は祭壇石と組合される補助石の平面図（Ａ）、正面図（Ｂ）、および斜視図（Ｃ）である。（実施例１）
【図１０】図１０はカロートの平面図（Ａ）、正面図（Ｂ）、および斜視図（Ｃ）である。（実施例１）
【図１１】図１１は変形例のカロートの蓋の平面図（Ａ）、正面図（Ｂ）、および斜視図（Ｃ）である。（実施例１）
【図１２】図１２は本発明の一実施の形態に係る墓の全体の構成を示す外観斜視図である。（実施例２）
【図１３】図１３は同墓の平面図である。（実施例２）
【図１４】図１４は１１本の石柱によって構成され、ブロックを構成する１つのグループの墓の正面図である。（実施例２）
【図１５】図１５は石柱の正面図（Ａ）、側面図（Ｂ）、および縦断面図（Ｃ）である。（実施例２）
【図１６】図１６は石柱の上部側の正面図（Ａ）、および縦断面図（Ｂ）である。（実施例２）
【図１７】図１７は各種の模様（Ａ）〜（Ｄ）のステンドグラスの正面図である。（実施例２）
【図１８】図１８は石柱の凹部から成る空洞部の構造を示す縦断面図（Ａ）、および分解斜視図（Ｂ）である。（実施例２）
【図１９】図１９は祭壇の平面図（Ａ）、側面図（Ｂ）、および正面図（Ｃ）である。（実施例２）
【図２０】図２０は祭壇の外観斜視図である。（実施例２）
【図２１】図２１は別の実施の形態に係る墓の全体の配置を示す平面図である。（実施例２）
【図２２】図２２は同実施の形態の石柱の正面図（Ａ）、左側面図（Ｂ）、右側面図（Ｃ）、および縦断面図（Ｄ）である。（実施例２）
【図２３】図２３は同石柱の平面図（Ａ）、底面図（Ｂ）、および横断面図（Ｃ）である。（実施例２）
【図２４】図２４は石柱の胴部を構成する前面板および背面板の正面図（Ａ）、同側面図（Ｂ）、側板の正面図（Ｃ）、および同側板の側面図（Ｄ）である。（実施例２）
【図２５】図２５は上下方向に３つに分割される右側板の上板の正面図（Ａ）、同側面図（Ｂ）、同下板の正面図（Ｃ）、同側面図（Ｄ）、蓋板の正面図（Ｅ）、および同蓋板の側面図（Ｆ）である。（実施例２）
【図２６】図２６は段差による蓋板と下板の係合を示す拡大断面図（Ａ）、およびロックピンによる蓋板のロックの構造を示す拡大断面図（Ｂ）である。（実施例２）
【図２７】図２７は祭壇の上板の正面図（Ａ）、同平面図（Ｂ）、祭壇の側面石の正面図（Ｃ）、および同側面図（Ｄ）である。（実施例２）
【図２８】図２８は祭壇の正面図（Ａ）、および同側面図（Ｂ）である。（実施例２）
【図２９】図２９は祭壇の外観斜視図である。（実施例２）
【図３０】図３０は缶体の平面図（Ａ）、および正面図（Ｂ）である。（実施例２）
【図３１】図３１は缶体の蓋体の嵌着の構造を示す拡大縦断面図である。（実施例２）
【図３２】図３２は灯籠型の墓を示し、（ａ）は正面図、（ｂ）は左側面図、（ｃ）は中央縦断面図である。（実施例３）
【図３３】図３３は灯籠型の墓の中央縦断面図である。（実施例４）
【図３４】図３４は石柱型の墓を示し、（ａ）は中央縦断面図、（ｂ）は概略正面図である。（実施例５）
【図３５】図３５は連通するカロート有する石柱型の墓の概略正面図である。（実施例６）
【図３６】図３６は墓の平面図である。（実施例７）
【発明を実施するための形態】
【００１８】
以下図面に基づいてこの発明の実施例を詳細に説明する。
【実施例１】
【００１９】
図１〜図３は、本発明の一実施の形態の墓の概要を示すものであって、特に図１および図２に示すように、この墓は通路１１を中心に構成される。
通路１１は直線状に延びる通路であって、その表面に所定の厚さの敷石１２が敷設される。
なお、敷石１２によって覆われた通路１１の両側には敷石１２よりも幅の狭い縁石１３が敷設される。
【００２０】
上記通路１１の両側に沿って、細長い石柱１７が直立して立設される。
そして、石柱１１の根元側であって前面側の部分には、祭壇を構成する祭壇石１８がそれぞれの石柱１７に対応して設けられる。
ここで、祭壇石１８の配列方向、すなわち横方向の寸法は、上記石柱１７の中心部間の間隔と等しくなっている。
そして、特に図３に示すように、それぞれの石柱１７の前面には、「山田家」等の表示２１が形成されている。
このような石柱１７の根元側の部分の前面に配される祭壇石１８は、その横方向の両側の下面がＬ字状に切欠かれたＬ字状切欠き１９から構成され、このＬ字状切欠き１９に直方体状を成す補助石２０が組合されるようになっている。
なお、補助石２０は、互いに隣接する両側の石柱１７と関連付けられた祭壇石１８に共通に用いられ、両側の祭壇石１８の連続するＬ字状切欠き１９に共通の補助石２０が組合されるようになっている。
なお、ここで、石柱１７、祭壇石１８、補助石２０は、御影石等の石材によって切削、研削、磨き等の方法によって製作されたものである。
【００２１】
図４はそれぞれの石柱１７と、祭壇石１８と、カロート３５との関係を示している。
石柱１７は直立して垂直に立設され、根元側の部分が土で直接、あるいはコンクリート等の固定手段によって固定される。
そして、石柱１７の前面側に祭壇石１８が左右対称に配設され（図４Ｂ参照）、しかも祭壇石１８の下側に、後述するステンレス鋼板製のカロート３５が配列されるようになっている。
カロート３５には、骨壷３９が積重ねて収納される。
【００２２】
次に石柱１７の構造を図５によって説明する。
石柱１７は、御影石等の石材を研削して角柱状にしたものである。
ここで石柱１７は、１，０００〜３，０００ｍｍ、より好ましくは１，５００〜２，５００ｍｍ、例えば１，９４０ｍｍの長さを有し、その横断面形状が、１辺が８０〜２５０ｍｍの範囲内、より好ましくは１２０〜２００ｍｍの範囲内、例えば１５０ｍｍの正方形の形状を成している。
石柱１７の頂面は緩やかな角度の４角錐状に成形されている。
そして、上記石柱１７の上面側の部分に前後方向に貫通する断面円形の貫通孔２４が形成され、この貫通孔２４の前面側の大径部２６の殿部にステンドグラス２５が嵌着される（図６参照）。
また、貫通孔２４の背面側の大径部２６の殿部に普通のガラス板２８が嵌着されている。
また、石柱１７には、前記貫通孔２４よりもやや下側に飾り溝２７が形成されるとともに、飾り溝２７の下側には別の飾り溝２７が形成される。
すなわち、上下２段に飾り溝２７が設けられることになる。
【００２３】
図６Ａ、Ｂは、ステンドグラス２５が装着される石柱１７の貫通孔２４の部分を拡大して示したものであって、前後方向に延びる円形の貫通孔２４は、その前面側と後面側とにそれぞれ大径部２６が形成されるとともに、これらの大径部２６に円板状のステンドグラス２５と普通のガラス板２８が取付けられている。
ステンドグラス２５は、図７に示すように、各種の模様またはマークを施したガラス板であってよい。
ここで模様あるいはマークとしては、家紋等のマーク、植物、動物の形状から成る模様等であってよい。
【００２４】
図８は上記石柱１７と組合される祭壇石１８を示しており、この祭壇石１８は前面側に開口し、背面側が閉塞された凹部３１を備えている。
凹部３１は、その中で線香を焚くための凹部である。
そして、このような祭壇石１８の両側下部のＬ字状切欠き１９と整合される補助石２０が図９に示されている。
補助石２０は上記Ｌ字状切欠き１９の２倍の寸法を有し、両側の互いに隣接する祭壇石１８のＬ字状切込み１９に組合されることによって丁度一致する形状になっている。
【００２５】
次に上記祭壇石２０と組合されるカロート３５について図１０により説明する。
カロート３５は、ステンレス鋼板から成る箱体であって、上部が開放された箱体から構成されている。
その大きさは、上記祭壇石１８の平面の大きさとほぼ一致する大きさである。
そして、このカロート３５の上部開口が、上記祭壇石１８と補助石２０との組合わせによって閉じられるようになっている。
すなわち、祭壇石１８と補助石２０とがこのカロート３５の蓋体を兼用している。
【００２６】
なお、カロート３５の上部開口は、専用の蓋板３６で覆うようにしてもよい。
図１１は専用の蓋板３６を備えるカロートを示している。
ここで、蓋板３６はステンレス鋼板で作られ、その長辺側側縁の部分にリブ３７を備え、短辺側側縁の部分にリブ３８を備えている。
これらのリブ３７、３８がカロート３５の長辺側と短辺側の上部の側縁の外側において係合されるようになっており、これによって蓋板３６でカロート３５の上部開口が閉じられるようになっている。
【００２７】
このような墓は、図１および図２に示すように、比較的狭い通路の両側に多数の石柱１７を直立して並べることによって構成される。
ここで通路１１は縁石１３の部分を含めてその幅員が例えば１，５００ｍｍ程度に設定され、両側の列の石柱１７を含めた全幅が２，２００ｍｍ程度であってよい。
また石柱１７の配列方向の石柱１７の配列のピッチは、４４５ｍｍ程度でよく、５００ｍｍ以下のピッチで石柱１７を配列することができる。
上記の実施例においては、石柱１７の断面が１５０×１５０ｍｍの正方形断面の場合に、石柱１個に対応する墓の部分の面積が、通路１１を含めて０．４８９５ｍ２で済むことが計算により明らかになっている。
すなわち、１戸当たりの所要スペースが著しく少なく、これによって土地代が安くなる。
また墓の構成も、細い石柱１７と、祭壇石１８と、補助石２０と、そしてカロート３５とからの組合わせであるために、材料費や建設費も極めて安くなり、低コストの墓が可能になる。
【００２８】
以上、本願発明を図示の実施の形態および実施例によって説明したが、本願発明は上記実施の形態によって限定されることなく、本願発明の技術的思想の範囲内において各種の変更が可能である。
例えば上記実施の形態における、石柱１７、祭壇石１８、カロート３５等の具体的な形状や寸法については、必ずしも上記実施の形態に限定されることなく、本願発明の技術的思想の範囲内において各種の変更が可能である。
【実施例２】
【００２９】
図１２および図１３は、本発明の一実施の形態の墓の全体の配置を示すものである。
ここでは、図１２および図１３に示すように、参拝者が通るための通路１１１が中央を貫通するように形成される。
通路１１１は、例えば３００×６００ｍｍの長方形の敷石を３列に敷設して成り、幅員が９００ｍｍの通路であってよい。
そして、このような通路１１１の両側には、ブロック毎に分かれてグループを形成した墓が配列される。
ブロックを構成するグループは、１１本の石柱１１６から構成され、背面側の部分に５本の石柱が立設されるとともに、両側の部分にそれぞれ３本の石柱が立設される。
そして、石柱１１６の根元側の部分に植栽１１７が施される。
またコ字状に配列された１１本の石柱１１６から成るブロックの内側の長方形の空間には、コンクリートが打設され、表面の部分には貼石１１８が敷設される。
そして貼石１１８の敷設された前方側の長方形の空間の前端側の中央に祭壇１２０が設置される。
【００３０】
図１４は上記の通路１１１に沿うブロックの１１本の石柱１１６によって構成される１グループを正面から見たものであって、背面側に５本の石柱１１６が所定間隔で立設されるとともに、両側には３本ずつの石柱１１６が立設されることになる。
また、前方の空間部の中央部に祭壇１２０が配置される。
なお、石柱１１６は、例えば御影石を加工して作られ、その前面側には、例えば「山田家」、「心」等のような適宜の表示１３０が施されてよい。
【００３１】
図１５は、特に墓の主要部を構成する石柱１１６を示すものであって、石柱１１６は、その全長が１，２００〜２，０００ｍｍの範囲内、より好ましくは１，５００〜１，９００ｍｍの長さを有し、その横断面形状が１辺が１１０〜２２０ｍｍの範囲内、より好ましくは１３０〜１８０ｍｍの、例えば１５０×１５０ｍｍの正方形断面を有し、全長が例えば１，７５０ｍｍの長さであって、下側の３００ｍｍの部分が土中に埋設されてよい。
なお、埋設された下側の部分については、コンクリートで固定するのが好ましい。
【００３２】
石柱１１６の上端部は、緩やかな角度の四角錐状突部１２５になっている。
そして、上端側の部分には、前後方向に貫通する貫通孔１２６が形成されている。
貫通孔１２６はその前端側の部分と後端側の部分とにそれぞれ太径部１２７を備えている。
そして、貫通孔１２６の太径部１２７の部分に、図１６および図１７に示すようなステンドグラス１２８が装着される。
ステンドグラス１２８は、ガラス板であって、例えば図１７に示すような各種の模様を施したものである。
また、貫通孔１２６の背面側の太径部１２７には、通常のガラス板１２９が装着されることになる。
【００３３】
また、石柱１１６は、上記貫通孔１２６よりもやや下側の部分において、上下に２分割され、上側部分１３１と下側部分１３２とから構成されている。
そして、下側部分１３２の上端には断面が円形の凹部から成る空洞部１３３が形成されている。
凹部１３３は、８０〜１８０ｍｍの範囲内、より好ましくは８０〜１２０ｍｍの直径の円形の断面形状を有し、軸線方向に沿って、例えば３６０ｍｍの深さを有している。
このような円形の凹部１３３は、その中に火葬されかつ粉末あるいは粒状に砕かれた遺骨を入れるようになっている。
すなわち、この石柱１１６は、骨壷を用いることなく直接凹部１３３の中に遺骨を粉末あるいは粒状のままで入れるようにすることに大きな特徴を有している。
【００３４】
上記石柱１１６の上側部分１３１の下面には下方に突出するように、断面円形の突部１３４が形成され、この突部１３４が上記下側部分１３２の空洞部を構成する凹部１３３の入口部分に嵌合される。
すなわち、突部１３４が凹部１３３の蓋体を成している。
また、突部１３４の根元側の部分にはリング状突部１３５が形成されている。
従って、突部１３４と凹部１３３とを嵌合させて上側部分１３１を下側部分１３２の上部に組合せると、上側部分１３１と下側部分１３２との接合部に飾り溝１３６が形成されることになる。
【００３５】
次に図１３および図１４に示す１１本の石柱１１６から成るグループのブロック１１５の前面側の中央部に配される祭壇１２０について説明する。
祭壇１２０は、例えば御影石によって直方体状のブロックの形状に切削し、表面を研削して組立てられる。
そして、この祭壇１２０の前面側には、背面側に貫通するように四角形の開口１４０が形成される。
この開口１４０は、その中に例えば線香を置いて焚くのに用いられる。
【００３６】
このような構成に係る墓は、それぞれの墓の部分が主として直立する１辺が１５０ｍｍの石柱から構成され、所要面積が極めて少ないという顕著な特徴を有する。
図１３に示すようにコ字状に配列された１１本の石柱１１６によって１つのグループを構成し、ブロック１１５を形成するようにした墓において、各ブロックは２，５２０×１，０８０ｍｍの長方形の用地を用いる。
従って、各ブロックのグループを１１本の石柱１１６によって構成する場合には、石柱１１６が１本の各墓について、０．２４ｍ２の敷地を占めるだけで済むようになる。
通路１１１の部分を敷地に算入しても、石柱１本当たりの墓の所要面積が、０．３５ｍ２程度で済むようになる。
従って、所要面積が極めて小さい墓を提供することが可能になる。
【００３７】
また、本実施の形態の墓は、特に図１５および図１８に示すように、石柱１１６の内部の空洞部分を構成する凹部１３３内に、粉砕しあるいは破砕した遺骨を収納するようにしている。
遺骨を凹部１３３に入れる場合には、上側部分１３１を上方に移動し、突部１３４を下側部分１３２の凹部１３３の開口から離脱させ、凹部１３３の上部開口を開放する。
そして凹部１３３内に、粉砕され、あるいは破砕されて粉末状または粒状になっている遺骨をそのまま充填する。
【００３８】
このような墓は、石柱１１６を一人分の墓として用いる場合には、その人の遺骨を凹部１３３内に任意の量充填することになる。
これに対して家族等複数の人の遺骨を入れる場合には、各人の遺骨の量を制限し、少しずつ凹部１３３内に粉末状あるいは粒状の遺骨を入れるようにすれぱよい。
【００３９】
遺骨を入れた後に、上側部分１３１の突部１３４を下側部分１３２の凹部１３３に嵌合するようにして凹部１３３の上部開口を閉塞する。
上側部分１３１の突部１３４の根元側にはリング状突部１３５が形成されており、上述のように上側部分１３１を下側部分１３２に組合せると、リング状突部１３５の下面がパッキンとして機能し、凹部１３３の入口側の部分が閉塞されるようになる。
【００４０】
このように石柱１１６の上側部分１３１と下側部分１３２との境界部に形成された凹部１３３から成る空洞部に遺骨を入れるようにした構成によると、従来の墓において設けられていたカロートを必要としなくなる。
従って、カロートを建設するための建造費や材料費を省略することができ、安価に墓を提供できるようになる。
【００４１】
墓は図１６に示すように、上端側の部分に貫通孔１２６を備え、この貫通孔１２６にステンドグラス１２８を装着するようにしている。
従って、このようなステンドグラス１２８によって、高い意匠性を付与できるようになる。
また、石柱１１６の前面側には、図１４に示すように、各種の表示１３０を適宜形成することができる。
すなわち、従来の墓の石碑と同様の表示を行なうことが可能になる。
【００４２】
次に別の実施の形態を図２１〜図３１を参照して説明する。
この実施の形態は、石柱１４５内に、図３０、図３１に示す缶体１８１を収納し、この缶体１８１内に遺骨を入れるようにしたものである。
【００４３】
図２１に示すように、通路１４６の長さ方向に、上記通路１４６に対して両側にそれぞれ石柱１４５が例えば５００ｍｍのピッチで立設して配列される。
なお、通路１４６のほぼ中央部には、帯状に花壇１４７が通路１４６の延びる方向に平行に形成される。
また、道路１４６を挟んで対向する石柱１４５の列の背面側には、次の列の石柱１４５が同様に道路１４６を介して対向するように配列されている。
このような石柱１４５の配列構造が、墓地の領域の範囲で多数形成されることになる。
【００４４】
次に石柱１４５の構造について図２２により説明すると、石柱１４５はその全長が１，２００〜２，２００ｍｍの範囲内、より好ましくは１，５００〜２，１００ｍｍの範囲内、例えば１，９００ｍｍの長さを有し、横断面形状が１辺が１６０〜２５０ｍｍの範囲内、より好ましくは１８０〜２３０ｍｍの範囲内、例えば１辺が２１０ｍｍの正方形断面を有してよい。
そして、石柱１４５はその上部が頭部１５１から構成されている。
頭部１５１は御影石によってブロック状に構成されたものであって、その上面側が四角錘状突部１８７になっている。
そして、頭部１５１の下側には扁平な飾り板１５２が組合わされる。
飾り板１５２は例えば黒御影石から構成される。
そして、飾り板１５２の下側において、石柱１４５は胴部１５３から構成されることになる。
【００４５】
石柱１４５の胴部１５３は、その４辺をそれぞれ別々の板状体によって覆うようにした構造を成しており、各板状体はそれぞれ例えば５０ｍｍの厚さの御影石の石板によって構成される。
前面側は扁平な前面板１５４から構成され、背面板は扁平な背面板１５５から構成される。
このような前面板１５４および背面板５５の構造は、図２４Ａ、Ｂに示される。
これに対して左側板１５６は、左側の部分において、前面板１５４と背面板１５５に挟まれて配される板状体であって、同じく厚さが例えば５０ｍｍの御影石の板状体であってよい。
このような左側板１５６の構造は、図２４Ｃ、Ｄに示される。
【００４６】
次に石柱４５の右側板の構造について説明する。
右側板は、特に図２２Ｃに示すように、高さ方向に３枚の板状体から構成されており、上板１６０と、蓋板を構成する中板１６１と、下板１６２とを組合わせて構成される。
なお、上板１６０の構造は、図２５Ａ、Ｂに示される。
また、蓋板を構成する中板１６１の構造は、図２５Ｅ、Ｆに示される。
また、下板１６２の構造は、図２５Ｃ、Ｄに示される。
ここで、上板１６０の下端、蓋板１６１の上端および下端、および下板１６２の上端にはそれぞれ段差１６３が形成される。
図２６は蓋板１６１の下端と下板１６２の上端との間における段差１６３の係合構造を示しており、このような段差１６３によって、蓋板１６１と下板１６２との間の部分に隙間を生じないようにしている。
【００４７】
このように石柱１４５の右側板が互いに分離された上板１６０と蓋板１６１と下板１６２とから構成され、これらが互いに組合わされるようになっている。
そして、蓋板１６１を取外すと、図２２Ｄおよび図２３Ｃに示す内部の空洞の部分が開放されることになる。
これによって、中に後述する缶体１８１を入れたり、あるいはこの空洞から缶体１８１を取出したりすることができるようになっている。
なお、内部の空洞は、１辺が好ましくは８０〜１４０ｍｍ、より好ましくは９５〜１３０ｍｍ、例えば１１０ｍｍの正方形断面の空洞である。
【００４８】
図２６Ｂは、上記空洞の部分の入口を開閉する蓋板１６１のロック構造を示している。
蓋板１６１の下端側の部分には保持筒１６８が埋設され、この保持筒１６８によってロックピン１６９が高さ方向に摺動可能に保持されている。
そして、下板１６２の上端側には、ロックスリーブ１７０が軸線方向に移動可能に保持されている。
外部から操作ピン１７１を操作し、ロックピン１６９をロックスリーブ１７０から離脱させると、保持筒１６８に保持されているロックピン１６９による蓋板１６１のロックが解除されるようになる。
これに対して操作ピン１７１によってロックピン１６９を下降させ、ロックスリーブ１７０内にロックピン１６９の下端部を係合させると、蓋板１６１が上板１６０と下板１６２との間の開口部を閉じた状態でロックされる。
なお、このようなロック機構は、上板１６０の下端と蓋板１６１の上端との間にも設けられている（図２２Ｃ参照）。
【００４９】
上記のような構成に係る石柱１４５の前面側には、図２１に示すようにそれぞれ祭壇１７４が配される。
祭壇１７４は、図２７Ａ、Ｂに示すような天板１７５と、同じ形状のべ一ス１７６とを、両側の側面石１７７（図２７Ｃ、Ｄ参照）を介して結合したものであって（図２８参照）、これによって図２９に示すように組立てられるものである。
このような祭壇１７４は、その上に線香の焼香台を置いたり、花瓶を置いたりすることができるようにしている。
【００５０】
次に上記石柱１４５の内部の空洞の部分に挿入される缶体１８１について説明する。
缶体１８１はステンレス鋼板から成り、断面が円形の筒体であって、有底の缶体から成る身、すなわち本体部分１８２と、この本体１８２の上部開口を閉じる蓋１８３とを備えている。
そして、蓋１８３を装着するために、図３１に示すように、本体１８２の上端側であってその内周部には接続篇１８４が嵌着されかつ溶接されている。
そして、このような接続篇１８４の本体１８２の上側に突出した部分に蓋１８３を外側から嵌着することによって、缶体１８１が閉じられるようになっている。
なお、缶体１８１の外径は、７５〜１３０ｍｍの範囲内、より好ましくは９０〜１２０ｍｍの範囲内、例えば１００ｍｍの直径を有し、かつ高さ方向の全長は、２５０〜８００ｍｍの範囲内、より好ましくは４００〜６５０ｍｍの範囲内、例えば５００ｍｍの長さを有してよい。
【００５１】
この実施の形態の特徴は、石柱１４５の内部であって胴部１５３の内側が空洞になされるとともに、その空洞内に缶体１８１を収納できるようにしたことを特徴としている。
本実施例においては、石柱１４５の空洞の部分に３本の缶体１８１を上下３段に重ねて収納できるようにしているが、石柱１４５の高さ方向の寸法に応じて、挿入される缶体１８１の本数をも変更することが可能である。
【００５２】
このような構成によると、石柱１４５の胴部１５３内に収納される缶体１８１を骨壷の代わりに利用することができる。
また、このような構成によれば、遺骨を粉砕して粉末あるいは粒状に加工する必要がなくなる。
また、必要に応じて、缶体１８１を取出すこともできる。
【００５３】
以上本願発明を図示の実施の形態および実施例によって説明したが、本願発明は上記実施の形態によって限定されることなく、本願発明の技術的思想の範囲内において各種の変更が可能である。
例えば上記実施の形態における、石柱１１６の寸法や、１ブロック１１５を構成する石柱１１６の本数、あるいはその配置関係については、必ずしも上記実施の形態に限定されることなく、本願発明の技術的思想の範囲内において各種の変更が可能である。
【実施例３】
【００５４】
図３２（ａ）〜（ｃ）はこの発明の実施例３を示すものである。
【００５５】
この実施例３の特徴とするところは、墓２０１を石柱２０２と蓋部２０３とによって灯籠型に形成するとともに、前記石柱２０２には、長手方向に貫通する納骨用空間２０４を形成し、この納骨用空間２０４の下端開口を連絡通路２０５として機能させる構成とした点にある。
【００５６】
すなわち、図３２（ｃ）に示す如く、前記墓２０１の石柱２０２の下部を土壌２０６に埋設した際に、前記納骨用空間２０４の下端開口を土壌２０６に対峙させ、連絡通路２０５として使用するものである。
【００５７】
さすれば、上述した構成の墓２０１とすることによって、納骨用空間２０４と墓２０１周辺の外部、例えば土壌２０６とを連絡通路２０５によって連絡することができる。
このため、納骨用空間２０４に収納した遺骨に対して微生物などの作用を促進させることができ、遺骨量を減少させて納骨用空間２０４の残余の空間を適正に維持することができる。
また、前記連絡通路２０５によって納骨用空間２０４内の換気を行うことができ、納骨用空間２０４内に滞留する臭いを解消し得る。
【実施例４】
【００５８】
図３３はこの発明の実施例４を示すものである。
【００５９】
この実施例４の特徴とするところは、上述実施例３と同様に、墓２１１を石柱２１２と蓋部２１３とによって灯籠型に形成するとともに、前記石柱２１２に長手方向に貫通する納骨用空間２１４を形成した際に、この納骨用空間２１４を墓周辺の外部に連絡する連絡通路２１５を設ける構成とした点にある。
【００６０】
すなわち、図３３に示す如く、前記墓２１１の石柱２１２の下部を土壌２１６に埋設した際に、この土壌２１６表面、かつ、墓２１１の前面部位に土台石２１７を配置し、この土台石２１７の上面にＬ字状に形成した祭壇石２１８を載置する。
そして、この祭壇石２１８の裏面部分に対峙する前記石柱２１２に、前記納骨用空間２１４と墓２１１周辺の外部である祭壇石２１８の裏面部分とを連通するように貫通孔からなる前記連絡通路２１５を設けるものである。
【００６１】
さすれば、上述した構成の墓２１１とすることによって、納骨用空間２１４と墓２１１周辺の外部、例えば祭壇石２１８の裏面部分とを貫通孔からなる前記連絡通路２１５によって連絡することができる。
このため、納骨用空間２１４に収納した遺骨に対して微生物などの作用を促進させることができ、遺骨量を減少させて納骨用空間２１４の残余の空間を適正に維持することができる。
また、前記連絡通路２１５によって納骨用空間２１４内の換気を行うことができ、納骨用空間２１４内に滞留する臭いを解消し得る。
また、貫通孔からなる前記連絡通路２１５を形成する際には、単数のみでなく、２個以上の複数とすることが可能であるとともに、貫通孔の孔径を任意に変更させて形成することも可能である。
【実施例５】
【００６２】
図３４（ａ）及び（ｂ）はこの発明の実施例５を示すものである。
【００６３】
この実施例５の特徴とするところは、墓２２１を、石柱２２２と、この石柱２２２の前面の土壌２２３に形成したカロートからなる納骨用空間２２４と、この納骨用空間２２４の上面を閉塞する祭壇石２２５とによって形成するとともに、前記納骨用空間２２４を墓２２１周辺の外部に連絡する連絡通路２２６を設ける構成とした点にある。
【００６４】
すなわち、図３４（ａ）及び（ｂ）に示す如く、前記石柱２２２の前面の土壌２２３にカロートからなる納骨用空間２２４を形成する際に、この納骨用空間２２４に開口する一端開口部２２６ｘと、前記祭壇石２２５近傍の土壌２２３から外気に連絡する他端開口部２２６ｙとを有する管状の前記連絡通路２２６を埋設するものである。
このとき、この連絡通路２２６の本数や一端開口部２２６ｘ及び他端開口部２２６ｙの個数は、単一構成でなくても、適宜複数とする設定が可能である。
【００６５】
さすれば、上述した構成の墓２２１とすることによって、納骨用空間２２４と墓２２１周辺の外部、例えば祭壇石２２５近傍の土壌２２３の外気とを管状の前記連絡通路２２６によって連絡することができる。
このため、納骨用空間２２４に収納した遺骨に対して微生物などの作用を促進させることができ、遺骨量を減少させて納骨用空間２２４の残余の空間を適正に維持することができる。
また、前記連絡通路２２６によって納骨用空間２２４内の換気を行うことができ、納骨用空間２２４内に滞留する臭いを解消し得る。
また、前記連絡通路２２６の形成に際しては、上述したように土壌２２３内に管状の連絡通路２２６を埋設する構成として説明したが、例えば図３４（ｂ）に破線で示す如く、祭壇石２２５に穿孔を施し、この穿孔部分を連絡通路２３１として機能させる変形例とすることも可能である。
なお、石柱２２２の上部には、像や家紋、あるいは梵字などからなるデザインを施す構成とすることも可能である。
【実施例６】
【００６６】
図３５はこの発明の実施例６を示すものである。
【００６７】
この実施例６の特徴とするところは、カロートからなる納骨用空間を墓周辺の外部に連絡する際に、外部に連絡する連絡通路と、複数個の納骨用空間を接続する接続通路とを設ける構成とした点にある。
【００６８】
すなわち、例えば図３５に示す如く、３箇所に第１墓２４１−１、第２墓２４１−２、第３墓２４１−３を設ける構成とする。
そして、第１墓２４１−１を、第１石柱２４２−１と、この第１石柱２４２−１の前面の土壌２４３に形成したカロートからなる第１納骨用空間２４４−１と、この第１納骨用空間２４４−１の上面を閉塞する第１祭壇石２４５−１とによって形成する。
また、前記第２墓２４２−２も、上述した第１墓２４１−１と同様に、第２石柱２４２−２と、第２納骨用空間２４４−２と、第２祭壇石２４５−２とによって形成する。
更に、前記第３墓２４２−３も、第３石柱２４２−３と、第３納骨用空間２４４−３と、第３祭壇石２４５−３とによって形成する。
このとき、前記第１墓２４１−１を、管状の連絡通路２４６によって第１祭壇石２２５近傍の土壌２２３から外気に連絡する。
一方、前記第１墓２４１−１と第２墓２４１−２と第３墓２４１−３とは、第１、第２接続通路２４７−１、２４７−２によって第１〜第３納骨用空間２４４−１、２４４−２、２４４−３を夫々接続する。
【００６９】
さすれば、上述した構成の第１墓２４１−１と第２墓２４１−２と第３墓２４１−３とすることによって、第１〜第３納骨用空間２４４−１、２４４−２、２４４−３と第１〜第３墓２４１−１、２４１−２、２４１−３周辺の外部、例えば祭壇石２４５−１近傍の土壌２４６の外気とを管状の前記連絡通路２４６及び第１、第２接続通路２４７−１、２４７−２によって連絡することができる。
このため、３個の第１〜第３納骨用空間２４４−１、２４４−２、２４４−３に収納した遺骨に対して微生物などの作用を促進させることができ、遺骨量を減少させて第１〜第３納骨用空間２４４−１、２４４−２、２４４−３の残余の空間をほぼ均一かつ適正に維持することができる。
また、前記連絡通路２４６及び第１、第２接続通路２４７−１、２４７−２によって第１〜第３納骨用空間２４４−１、２４４−２、２４４−３内の換気を行うことができ、第１〜第３納骨用空間２４４−１、２４４−２、２４４−３内に滞留する臭いを解消し得る。
また、この実施例６においては、３箇所に設けた第１〜第３墓２４１−１、２４１−２、２４１−３を連絡する構成としたが、２個あるいは４個以上とすることが可能であるとともに、前記連絡通路２４６や第１、第２接続通路２４７−１、２４７−２の本数を増加させる変形例とすることも可能である。
【実施例７】
【００７０】
図３６はこの発明の実施例７を示すものである。
【００７１】
この実施例７の特徴とするところは、上述した実施例６の外部に連絡する連絡通路と、複数個の納骨用空間を接続する接続通路とを設ける構成を採用する一方、図１３にて説明したグループを形成した墓の配列を変形した墓群２５１を開示した点にある。
【００７２】
すなわち、例えば図３６に示す如く、グループを形成した墓群２５１を半円形状に形成する。
そして、半円形状の墓群２５１の直径部分を通路２５２に対峙させる。
このとき、半円形状の墓群２５１の中心部位に祭壇２５３を配置し、この祭壇２５３の周囲に貼石２５４を半円形状に配置する。
また、この半円形状の貼石２５４の外周部位に、円弧状に複数個の墓２５５を配置するものである。
【００７３】
さすれば、上述した構成の墓群２５１とすることによって、この墓群２５１に使用される複数個の墓２５５の各納骨用空間と墓周辺の外部の外気とを、上述した実施例６と同様に、連絡通路及び接続通路によって連絡することができる。
このため、複数個の墓２５５の各納骨用空間に収納した遺骨に対して微生物などの作用を促進させることができ、遺骨量を減少させて各納骨用空間の残余の空間をほぼ均一かつ適正に維持することができる。
また、前記連絡通路及び接続通路によって複数個の墓２５５の各納骨用空間内の換気を行うことができ、各納骨用空間内に滞留する臭いを解消し得る。
また、上述した図１３の場合は長方形状、そして、半円形状に墓群２５１を形成する構成としたが、設計の際の土壌形状によって種々変更されるものであり、例えば四角形の場合は正方形状、そして三角形状や五角形以上の多角形状の変形例とすることも可能である。
【００７４】
なお、この発明は上述実施例１〜７に限定されるものではなく、種々の応用改変が可能である。
【００７５】
例えば、この発明の実施例１〜７においては、石柱を石材を使用した四角柱状として説明したが、その他の柱状などの形状とする特別構成とすることも可能である。
すなわち、四角柱状を除く多角柱状や円柱状とすることが可能である。
また、ほぼ球体状のものを複数個積層した形状とすることも可能である。
更に、四角柱状や球体状、角錐、円錐などを組み合わせた形状とすることも可能である。
【００７６】
また、この発明の実施例６においては、３箇所に第１〜第３墓を設ける際に、第１〜第３納骨用空間を夫々独立させて形成し、これらの第１〜第３納骨用空間を接続通路で接続する構成としたが、区画することによって各納骨用空間を形成する特別構成とすることも可能である。
すなわち、溝状に空間を掘削し、その後にこの空間を形成する墓の個数に応じて区画板などによって溝状の空間を区画し、複数の納骨用空間を形成するものである。
このとき、区画板に接続通路として機能する孔部を形成する。
さすれば、複数個の墓の納骨用空間を形成する際に、作業能率を向上させることが可能である。
【００７７】
更に、墓を設ける際に、墓の傾倒防止を図る傾倒防止手段を設ける特別構成とすることも可能である。
すなわち、石柱内に納骨用空間が形成されている場合には、土壌に傾倒防止手段として機能する支持用縦鉄筋を立設させて納骨用空間に位置させるものである。
このとき、支持用縦鉄筋は、必ずしも石柱に接触させておく必要はなく、石柱の傾倒時に接触すれば良いものである。
また、複数個の墓を設ける際には、土壌内に埋設される石柱の下端を傾倒防止手段として機能する支持用横鉄筋によって接続し、全部の墓を一体的に接続するものである。
さすれば、傾倒防止に寄与するとともに、耐震性の向上にも寄与し得る。
【００７８】
更にまた、この発明の実施例３〜７においては、墓の納骨用空間と墓周辺の外部とを連絡通路によって連絡して納骨用空間に収納した遺骨に対して微生物などの作用を促進させ、納骨用空間の残余の空間を適正に維持する構成としたが、微生物の作用を促進させる特別構成とすることも可能である。
すなわち、前記納骨用空間の一部、あるいは、連絡通路の途中などに微生物を一時的に収容する微生物収容部を設け、この微生物収容部内に定期的に微生物を収容するものである。
さすれば、納骨用空間に収納した遺骨に対して微生物の作用をより一層促進させることができ、納骨用空間の残余の空間を確実に維持できるとともに、納骨用空間を減少させて墓そのものを小型化できるという副次的な効果を奏することもできる。
【００７９】
また、この発明の図１３や実施例７においては、グループを形成するように墓を配列させて墓群とした構成を説明したが、唯一の合同葬用墓を設ける特別構成とすることも可能である。
すなわち、唯一の合同葬用墓を設ける一方、唯一の祭壇を設け、そして唯一の墓誌をも設けるものである。
【産業上の利用可能性】
【００８０】
本願発明は、火葬された人の遺骨を葬るのに用いられる墓に広く利用可能である。
【符号の説明】
【００８１】
１１  通路
１２  敷石
１７  石柱
１８  祭壇石
２５  ステンドグラス
３５  カロート
３６  蓋板
３７  リブ（長辺側）
３８  リブ（短辺側）
３９  骨壷
１１１  通路
１１２  敷石
１１６  石柱
１１７  植栽
１１８  貼石
１２０  祭壇
１２８  ステンドグラス
１３３  凹部（空洞部）
１４５  石柱
１４６  通路
１４７  花壇
１５１  頭部
１５３  胴部
１６８  保持筒
１６９  ロックピン
１７０  ロックスリーブ
１７１  操作ピン
１７４  祭壇
１７７  側面石
１８１  缶体
１８２  本体（身）
１８３  蓋
２０１  墓
２０２  石柱
２０３  蓋部
２０４  納骨用空間
２０５  連絡通路
２１１  墓
２１２  石柱
２１３  蓋部
２１４  納骨用空間
２１５  連絡通路
２２１  墓
２２２  石柱
２２３  土壌
２２４  カロートからなる納骨用空間
２２５  祭壇石
２２６、２３１  連絡通路
２４１−１、２４１−２、２４１−３  第１〜第３墓
２４２−１、２４２−２、２４２−３  第１〜第３石柱
２４３  土壌
２４４−１、２４４−２、２４４−３  第１〜第３納骨用空間
２４５−１、２４５−２、２４５−３  第１〜第３祭壇石
２４６  連絡通路
２４７−１、２４７−２  第１、第２接続通路
２５１  半円形状の墓群
２５２  通路
２５３  祭壇
２５４  貼石
２５５  複数個の墓
【図１】
2016084699.tif 000003
【図２】
2016084699.tif 000004
【図３】
2016084699.tif 000005
【図４】
2016084699.tif 000006
【図５】
2016084699.tif 000007
【図６】
2016084699.tif 000008
【図７】
2016084699.tif 000009
【図８】
2016084699.tif 000010
【図９】
2016084699.tif 000011
【図１０】
2016084699.tif 000012
【図１１】
2016084699.tif 000013
【図１２】
2016084699.tif 000014
【図１３】
2016084699.tif 000015
【図１４】
2016084699.tif 000016
【図１５】
2016084699.tif 000017
【図１６】
2016084699.tif 000018
【図１７】
2016084699.tif 000019
【図１８】
2016084699.tif 000020
【図１９】
2016084699.tif 000021
【図２０】
2016084699.tif 000022
【図２１】
2016084699.tif 000023
【図２２】
2016084699.tif 000024
【図２３】
2016084699.tif 000025
【図２４】
2016084699.tif 000026
【図２５】
2016084699.tif 000027
【図２６】
2016084699.tif 000028
【図２７】
2016084699.tif 000029
【図２８】
2016084699.tif 000030
【図２９】
2016084699.tif 000031
【図３０】
2016084699.tif 000032
【図３１】
2016084699.tif 000033
【図３２】
2016084699.tif 000034
【図３３】
2016084699.tif 000035
【図３４】
2016084699.tif 000036
【図３５】
2016084699.tif 000037
【図３６】
2016084699.tif 000038